【事件の表示】
　特許第２９９７１１２号「石膏または石膏水溶液の飼料への利用方法」の請求項２に係る特許に対する特許異議の申立てについて、次のとおり決定する。
【結　論】
　訂正を認める。
　本件特許異議の申立てを却下する。
【理　由】
 １．手続の経緯
　特許２９９７１１２号の請求項１〜３に係る発明についての出願は、平成３年１１月２０日（優先権主張平成２年１１月２０日）に特許出願され、平成１１年１０月２９日にその特許の設定登録がなされ、その後、藤田肇より請求項２に係る特許に対して特許異議の申立てがなされ、取消理由通知がなされ、その指定期間内である平成１２年１２月１日に訂正請求がなされたものである。
　
２．訂正の適否についての判断
　(1) 訂正の内容
　　(a)請求項2を削除し、請求項３を請求項２に繰り上げ、請求項２を次のとおり訂正する。
 「【請求項２】水槽、またはいけすの水を、水に極微量の石膏を溶解させた石膏水溶液、または該水を加熱して石膏を溶解させた後、常温に戻した石膏水溶液で一部置換するか、または上記水槽、またはいけすの水に微量の石膏を添加することを特徴とする石膏または石膏水溶液の飼料への利用方法。」
　　(b)【０００８】を次のとおり訂正する。
「【課題を解決するための手段】上記の目的を達成するために本発明では以下の手段を採用する。すなわち、水に極微量の石膏を溶解させた石膏水溶液、または該水を加熱して石膏を溶解させた後、常温に戻した石膏水溶液を、家畜等の動物に与えることとした石膏水溶液の飼料への利用方法である。」
　　(c)【００２０】を次のとおり訂正する。
「金魚をいれた水槽を２槽用意し、一方には水槽の水の１０分の１を濃度３％の石膏水溶液と置き換えた水を用意し、他方は通常の水道水を用意して、空気発生器を取り付けて「餌」は与えず、何時かは死亡するという前提で試験を行ったところ、普通の水の方は１３日間で１０匹の金魚は全部死亡したが、石膏または石膏水溶液を使用した方の金魚は２匹が死亡したに過ぎなかった。
【参考例】
＝鶏＝
　養鶏場において、外掛け１重量％の石膏を添加した配合飼料を採卵鶏に投与し、採取した卵重、卵径、卵殻強度、卵殻厚、卵黄色、Ｈ．Ｕ（ハウユニット）を測定し、その結果を表２(a)〜(e) に示す。測定条件は以下に示す通りである。
（マル１）試験対象鶏」
　
　(2) 訂正の目的の適否、新規事項の有無及び特許請求の範囲の拡張・変更の存否
　上記訂正(a)は、特許請求の範囲の減縮に該当する。
　上記訂正(b)、(c)は、訂正した特許請求の範囲と発明の詳細な記載とを整合させる明りょうでない記載の釈明に該当する。
　上記訂正(a)〜(c)は、新規事項の追加に該当せず、実質上特許請求の範囲を拡張し、又は変更するものではない。
　
　(3) むすび
　以上のとおりであるから、上記訂正は特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
　請求項２に係る発明は、訂正の結果削除され、特許異議の申立ての対象が存在しないので、この特許異議の申立ては、不適法な申立てであって、その補正をすることができないものである。 
　したがって、本件特許異議の申立ては、特許法第１２０条の６第１項で準用する第１３５条の規定によって却下すべきものである。　 
　よって、結論のとおり決定する。
【異議決定日】
平成１３年２月５日（２００１．２．５）
【訂正の要旨】
訂正の要旨
（ａ）特許請求の範囲の減縮を目的として、請求項２を削除し、請求項３を請求項２に繰り上げ、請求項２を次のとおり訂正する。
　「【請求項２】水槽、またはいけすの水を、水に極微量の石膏を溶解させた石膏水溶液、または該水を加熱して石膏を溶解させた後、常温に戻した石膏水溶液で一部置換するか、または上記水槽、またはいけすの水に微量の石膏を添加することを特徴とする石膏または石膏水溶液の飼料への利用方法。」
（ｂ）【０００８】を、明りょうでない記載の釈明を目的として、次のとおり訂正する。
　「【課題を解決するための手段】上記の目的を達成するために本発明では以下の手段を採用する。すなわち、水に極微量の石膏を溶解させた石膏水溶液、または該水を加熱して石膏を溶解させた後、常温に戻した石膏水溶液を、家畜等の動物に与えることとした石膏水溶液の飼料への利用方法であ
る。」
（ｃ）【００２０】を、明りょうでない記載の釈明を目的として、次のとおり訂正する。
　「金魚をいれた水槽を２槽用意し、一方には水槽の水の１０分の１を濃度３％の石膏水溶液と置き換えた水を用意し、他方は通常の水道水を用意して、空気発生器を取り付けて「餌」は与えず、何時かは死亡するという前提で試験を行ったところ、普通の水の方は１３日間で１０匹の金魚は全部死亡したが、石膏または石膏水溶液を使用した方の金魚は２匹が死亡したに過ぎなかった。
　
【参考例】
＝鶏＝
　養鶏場において、外掛け１重量％の石膏を添加した配合飼料を採卵鶏に投与し、採取した卵重、卵径、卵殻強度、卵殻厚、卵黄色、Ｈ．Ｕ（ハウユニット）を測定し、その結果を表２（ａ）〜（ｅ）に示す。測定条件は以下に示す通りである。
（マル１）試験対象鶏」
（５４）【発明の名称】
石膏または石膏水溶液の飼料への利用方法
（５７）【特許請求の範囲】
　【請求項１】　水に極微量の石膏を溶解させた石膏水溶液、または該水を加熱して石膏を溶解させた後、常温に戻した石膏水溶液を、家畜等に与えることを特徴とする石膏水溶液の飼料への利用方法。
　【請求項２】　水槽、またはいけすの水を、水に極微量の石膏を溶解させた石膏水溶液、または該水を加熱して石膏を溶解させた後、常温に戻した石膏水溶液で一部置換するか、または上記水槽、またはいけすの水に微量の石膏を添加することを特徴とする石膏または石膏水溶液の飼料への利用方法。
【発明の詳細な説明】
　【０００１】
　【産業上の利用分野】
　本発明は石膏または石膏水溶液の飼料への利用方法に関するものである。
　【０００２】
　【従来の技術】
　一般に動物が健康に育ち、また良質な肉、乳、卵を得るためにはカルシウム分を充分に摂取させることが必要である。このことから、家畜等にカルシウム分を多く含む飼料を与えたり、飼料中に貝殻やカルシウム薬剤等を混入して与えることがあるが、このような物質、飼料から、水もしくは動物の消化液に溶出するカルシウム分は全くの微量であり、殆どのカルシウム分はそのまま体外に排出され、効率よく家畜に摂取されていないのが現状である。
　【０００３】
　更に穀物、魚粉等よりなる飼料は、時間の経過とともに酸化されて酸化物を蓄積するか、もしくは腐敗が進行する。このような飼料を家畜に与えると下痢をするなどの症状が表れ、体力を弱らせることがある。
　【０００４】
　更に近年家畜が排出するメタンガスによる環境への影響が注目されている。すなわち、地球温暖化の元凶として指摘され、また排出規制に関しても各国間で協議され始められている二酸化炭素の温室効果を遥かに凌ぎ、一説にはその１０乃至１０数倍ともいわれている温室効果を有するメタンガスの発生量は、米国エネルギー省の推計によると年間４億ｔ以上といわれ、このうち、約２０％は水田から排出されるが、次いで草食動物から排出されるメタンガスが約１５％と発生源としては２番目に多い。一般に牛やヤギ等の反芻動物は消化器官内に生息する微生物の働きで植物繊維を分解・醗酵させる過程で発生するメタンガスをいわゆる「ゲップ」によって大気中に排出する。例えば牛１日当たりのメタンガスの排出量は約３６０ｇにも及び、国内での牛の飼育頭数は約４００万頭であり、単純計算で国内の牛だけの年間約５２万ｔものメタンガスが大気中に放出されていることとなり、これに加えてヤギで３万頭、羊で約３万頭が飼育されていることを考慮すると地球の温暖化に及ぼす家畜の影響は予想以上に大きいことが指摘されている。
　【０００５】
　このような家畜が生成するメタンガスは必ずしも正常な消化活動に伴うものばかりとは限らず、飼料の新鮮さの不足によって消化器官内で生じる異常醗酵により生成されるメタンガスが相当量含まれていると予想でき、こうしたことから該メタンガスの生成量を抑制するために飼料や給餌方法等を研究するための予算が１９９１年度から農林水産省に計上される等の試みが着手され始めているが、未だこのような研究は緒についたばかりであり、実効のある成果は今後の課題として残されている。
　【０００６】
　また、最近のグルメブームで、例えば海老や高級魚等の養殖が各地で盛んになるとともに、各種の魚類が生きたままで料理されることが多くなり、自ずからその目的を達成するために活魚を産地から「いけす」のまま直接輸送され、料理店でも「いけす」で活魚を一定期間生かしておくことがあるが、魚自らの排泄物（例えばアンモニア）によって水質が悪化し生存率が低下することがある。このようないけすや水槽での魚の生存率の向上がそのまま事業の成否に直結するし、元気な状態で一定期間飼育しないと味にも影響する。そのためにビタミン、酸素等を餌と一緒に与えているが、その効果を充分に発揮しているとはいえない。
　【０００７】
　そこで、本発明は上記従来の事情に鑑み、家畜や魚類を飼育し、該家畜から得られる肉、乳、卵の味を良くするとともに、魚類の養殖や輸送、飼育にも効果のあがる飼料を提供することを目的とする。
　【０００８】
　【課題を解決するための手段】
　上記の目的を達成するために本発明では以下の手段を採用する。すなわち、水に極微量の石膏を溶解させた石膏水溶液、または該水を加熱して石膏を溶解させた後、常温に戻した石膏水溶液を、家畜等の動物に与えることとした石膏水溶液の飼料への利用方法であ
る。
　【０００９】
　さらには、水槽、またはいけすの水を上記石膏水溶液で一部置換するか、もしくは微量の石膏を溶解させる石膏もしくは石膏水溶液の利用方法である。
　【００１０】
　【作用】
　家畜等の飲用水に石膏を溶解させるか、または石膏水溶液を与えることにより、効率よくその体内にカルシウム分を吸収させることができ、家畜の生命力を向上させる。さらに飼料に石膏を添加することにより、飼料の酸化・腐敗を抑え長期間新鮮な状態を保つとともに、この石膏が家畜によって直接吸収され、家畜の生命力を向上する。
　【００１１】
　さらに、上記方法によって飼料に配合された石膏に含有されるカルシウムを家畜に効率よく摂取させて、該家畜の消化器官内に存在する酸化物を中和するとともに、上記酸化・疲弊した飼料を新鮮な状態に戻すことにより消化器官内の異常醗酵を防止して、メタンガスの生成量を抑制する作用を有する。家畜が排便した直後の畜糞に対して数％以下の量の石膏を混合するとその匂いが直ちに消滅すること、あるいは、人が食物とともに石膏を極微量摂取した場合にその人の排便ににおいが無く、あるいは、皮膚からの排泄物である腋臭、水虫、ふきでもの等が全然でなくなることを考慮すると上記石膏の作用が推測できる。
　【００１２】
　また水槽やいけすの水の一部を石膏水溶液で置換するか、微量の石膏を溶解させることにより、飼育もしくは養殖されている魚の排泄物や餌の腐敗によって該水に溶出する酸化物を中和して適正な水質に保つ。また餌とともに石膏を与えることで魚等にカルシウムを効率よく摂取せしめて、生命力を付与することも可能である。
　【００１３】
　【実施例】
　以下、本発明を実施例に基づき詳細に説明する。
＝本鴨＝
養鴨ハウス１棟に雄鴨２００羽、雌鴨４００羽を飼育している香川県沖多度郡満濃町の飼育場において、本発明の投与試験を行った。
　【００１４】
　投与方法は飼料と飲み水に石膏粉末を混入するかたちでおこなった。投与後、毛並み、くちばしに艶がでて、特に鼻孔部のピンク色の部分が鮮明になり、美形となった。得られた鴨の臓器、特に肝臓が良好に肥大し、また各個体の重量も増加した。
＝魚の養殖＝
徳島県日和佐県水産研究所において、海水１０００重量部に対して１重量部の石膏粉末を投与するテストを行った。
　【００１５】
　▲１▼水質・透明度
投入前の透明度８８．２であったのに対して、投入後５日間の透明度は８６．７〜８６．９で、投入前と投入後で透明度の大きな変化はなく、更に投入後５日間は透明度の大きな変動はなかった。
　【００１６】
　▲２▼微生物
投入後、５日間で海水中の微生物の死亡はみられなかった。
　▲３▼塩度の分解
投入前後で変化はなかった。
　【００１７】
　▲４▼海水中、溶解率６８％以内である。
　▲５▼酸素濃度
５０００／ｌ吹入度は投入しないものよりやや悪くなる。
　【００１８】
　▲６▼毒物、有害物質存在は認められない。また、上記の結果海水１ｔに対して５００ｇ程度の石膏粉末の投与が適切であり、その後時間経過とともに少量ずつ追加投与していくことが望ましいと判断できた。
　【００１９】
　上記海水テストの結果を踏まえて、活魚の移送または養殖に使用する水槽内の水１０００重量部に１重量部の石膏粉末を溶解させた。水槽内の水中に蓄積する魚の排泄物（アンモニア）等の酸性物質をカルシウム分が中和して生存率が向上した。
　【００２０】
　金魚をいれた水槽を２槽用意し、一方には水槽の水の１０分の１を濃度３％の石膏水溶液と置き換えた水を用意し、他方は通常の水道水を用意して、空気発生器を取り付けて「餌」は与えず、何時かは死亡するという前提で試験を行ったところ、普通の水の方は１３日間で１０匹の金魚は全部死亡したが、石膏または石膏水溶液を使用した方の金魚は２匹が死亡したに過ぎなかった。
　
【参考例】
＝鶏＝
養鶏場において、外掛け１重量％の石膏を添加した配合飼料を採卵鶏に投与し、外掛け１重量％の石膏を添加した配合飼料を採卵鶏に投与し、採取した卵重、卵径、卵殻強度、卵殻厚、卵黄色、Ｈ．Ｕ（ハウユニット）を測定し、その結果を表２（ａ）〜（ｅ）に示す。測定条件は以下に示す通りである。
▲１▼試験対象鶏
　【００２１】
　【表１】
　【００２２】
▲２▼試験要領
平成２年５月１８日より投与を開始し、１カ月毎に各数値を測定した。
▲３▼評価の基準
一年のうちで卵質が最も低下する６、７月の成績が投与開始の５月の成績を下まわることがなければ効果ありと判断する。
▲４▼試験結果
表２に示す通り、４回目の測定時（７月４日）の成績は１回目の成績と遜色がなく、特に猛暑の日が続いた６月下旬を経ても気候のよい５月と同程度の水準の卵質を維持したことは、本発明に係る石膏の投与による効果があると認められる。
　【００２３】
　またカキ殻、もしくは炭化カルシウムのみを上記石膏と同量飼料に配合して投与した鶏では６、７月の卵質の落ち込みが激しかったのに比べると際立った効果が確認され、特に上記測定数値中、Ｈ．Ｕ（ハウユニット）〔卵白のたるみ状態を判断するもので数値が高いほど新鮮であることを示す指数〕は高い数値を維持しており、本発明によるカルシウムが効率良く鶏に吸収されたことを示している。
　【００２４】
　【表２】
　【００２５】
＝排泄物＝
さらに、上記石膏を数％以下を配合した飼料を家畜に摂取させると、該飼料は効率よく摂取させて、該家畜の消化器官内に存在する酸化物を中和するとともに、上記酸化・疲弊した飼料を新鮮な状態に戻す。この結果、消化器官内の異常醗酵を防止して、メタンガスの生成量が抑制された。この現象に似た現象として、家畜が排便した直後の畜糞に対して数％以下（この添加量はいくらでもよいが、数％以下で足りる）の量の石膏を混合するとその匂いが直ちに消滅すること、あるいは、人が食物とともに石膏を極微量摂取した場合にその人の便に匂いが無く、あるいは、皮膚からの排泄物である腋臭、水虫、ふきでもの等が全然でなくなる。即ち、石膏は動物の肛門から排泄される排泄物ばかりでなく、皮膚あるいは口から排泄させる排泄物に対しても有効に作用する。
　【００２６】
　【発明の効果】
　以上のように本発明による石膏または石膏水溶液を飲用水として、または飼料とともに家畜等に与えることで、肥育の状態は向上し、該家畜からとれる肉、乳、卵の味は一層引き締まったものとなるとともに、その収量は従来の飼料のみ与えていた家畜よりも向上する。
　【００２７】
　さらに、本発明によって疲弊・酸化した飼料に対し石膏を投与することで、家畜体内の酸化物を中和するとともに、消化器官内での異常醗酵を有効に抑制し、家畜体内で生じるメタンガスの発生量を抑制する効果がある。
　【００２８】
　また、魚類の水槽やいけすの水もしくは海水を一部石膏水溶液で置換するか、もしくは微量の石膏を溶解させることにより長期間にわたって「いき」のいい魚を生存させることができた。また、こうした石膏または石膏水溶液またはその原料となる石膏を溶解させるか餌とともに与えた魚の味は上記家畜の肉、乳、卵と同様従来よりも「美味しい」ものとすることができる。